(57)【特許請求の範囲】
【請求項１】
１以上の画像情報のうちの１つを表示可能な画面を有する表示部と、
前記表示部の画面に表示されている画像情報を選択する選択指示を入力するための入力部と、
前記入力部によって選択指示が入力されたとき、前記表示部の画面に表示される画像情報を選択し、選択された該画像情報に予め定める付箋情報を付与し、付与された付箋情報を該付箋情報が付与された画像情報に関連付けて前記表示部の画面に表示させる制御部と、
前記表示部の画面に表示されるべき１以上の画像情報を記憶し、かつ、画像情報に付箋情報が付与されているとき、該画像情報に付与される付箋情報を該画像情報に関連付けて記憶する記憶部と、を含み、
前記表示部の画面は、該画面内に並べて配置が可能な主領域および副領域を含み、
前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、
前記制御部は、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させることを特徴とする表示装置。
【請求項２】
前記予め定める付箋情報は、相互に区別が可能な予め定める複数種類の付箋情報から構成され、
前記入力部は、前記予め定める複数種類の付箋情報に対応する複数の付箋付与選択指示用選択肢と抽出開始選択肢とからなる付与指示用選択肢群であって、１つのウインドウ内に表示された付与指示用選択肢群から１つの付箋付与選択指示用選択肢または前記抽出開始選択肢を入力可能であり、
前記制御部は、前記入力部によって抽出開始選択肢が入力されたとき、前記抽出指示用選択肢群を表示し、前記入力部によって１つの付箋付与選択指示用選択肢が入力されたとき、入力された付箋付与選択指示用選択肢に対応する付箋情報を画像情報に付与することを特徴とする請求項１に記載の表示装置。
【請求項３】
前記制御部は、前記副領域に少なくとも１つの縮小された画像情報が表示される場合、該副領域に表示されるすべての縮小された画像情報のうちの少なくとも１つの縮小された画像情報に対応する縮小される前の画像情報を、前記表示部の主領域に表示させることを特徴する請求項１に記載の表示装置。
【請求項４】
１以上の画像情報のうちの１つを表示するための画面を有する表示部と、前記表示部の画面に表示されている画像情報を選択する選択指示を入力可能な入力部と、前記表示部の画面に表示されるべき１以上の画像情報を記憶し、かつ、画像情報に付箋情報が付与されているとき、該画像情報に付与される付箋情報を該画像情報に関連付けて記憶する記憶部とを含む表示装置で実行される表示方法であって、
前記入力部によって選択指示が入力されたとき、前記表示部の画面に表示される画像情報を選択する選択ステップと、
選択ステップで選択された画像情報に予め定める付箋情報を付与する付与ステップと、
付与ステップで付与された付箋情報を選択ステップで選択された画像情報に関連付けて前記表示部の画面に表示させる表示ステップとを含み、
前記表示部の画面は、該画面内に並べて配置が可能な主領域および副領域を含み、
前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、
前記表示ステップでは、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させることを特徴とする表示方法。
【発明の詳細な説明】
【技術分野】
【０００１】
本発明は、１以上の画像情報を表示可能な表示装置および表示方法に関する。
【背景技術】
【０００２】
従来技術の表示装置の１つであるタッチディスプレイは、画像情報を目視表示するための画面を有する表示部と、表示部の画面内の座標を直接的に指示可能な入力部とを含み、表示部と入力部とを組合わせて一体化させた構成を有する。前記表示部としては、たとえば、液晶ディスプレイ（Liquid Crystal Display：以下「ＬＣＤ」という）が用いられる。入力部としては、たとえば、タッチパネルが用いられる。
【０００３】
このようなタッチディスプレイの用途例の１つとして、いわゆる電子黒板が挙げられる。図７は、電子黒板として用いられる従来技術の表示装置１の外観を示す斜視図である。図８は、表示装置１における表示部３の画面７の表示内容を示す図である。図９は、画面７の一部分である副領域９の拡大図である。従来技術の表示装置１は、表示部３および入力部４の他に、表示装置１全体を制御する制御部５と、画像情報を記憶可能な記憶部６を含む。従来技術の表示装置１の表示部３の画面７は、相互に並べて表示可能な主領域８および副領域９を含む。
【０００４】
従来技術の表示装置１の制御部５は、利用者が入力部４を用いて入力した図形等の内容を、表示部３の画面７内の主領域８に表示する。かつ、従来技術の表示装置１の制御部５は、表示部３の画面７内の主領域８の表示内容を、主領域８の１頁分の画像情報として、記憶部６に記憶する。従来技術の表示装置１は、入力部４からの頁の増減を指示するための入力指示に応答して、画像情報の頁数を自在に増減させることが可能である。
【０００５】
従来技術の表示装置１において、記憶部６にすでに記憶される複数頁分の画像情報は、表示部３の画面７の主領域８に再度表示させることが可能である。再表示すべき頁の画像情報を選ぶ際、利用者は、記憶部６内の全頁の画像情報中から所望の頁の画像情報を探出す必要がある。
【０００６】
複数頁の画像情報が記憶される場合、所望の頁の画像情報の検索のために、表示部３の画面７内の副領域９を用いて、複数頁の画像情報を一覧表示するいわゆるプレビューが行われる。一覧表示時には、表示部３の画面７内の副領域９に、全頁のうちの少なくとも１頁の画像情報が、それぞれ縮小されつつ一覧表示される。
【０００７】
従来技術の表示装置１において、一覧表示中の副領域９に対しては、縮小表示された全ての画像情報のうちからの選択指示が可能である。画像情報の選択指示の手法としては、たとえば、縮小表示されたいずれか１頁の画像情報を利用者がタッチする、すなわち、表示部３６の画面７内の該いずれか１頁の画像情報が縮小表示される範囲内の座標を入力部４から指示入力する。これによって、１回のタッチ毎に、前記いずれか１頁の画像情報の選択が指示される。
【０００８】
従来技術の表示装置１において、副領域９で選択指示された頁の画像情報は、たとえば、主領域８に表示される。この結果、副領域９において縮小表示された頁の画像情報が、主領域８において副領域９での縮小表示よりも大きく表示されるので、利用者は、該頁の記載内容を詳細に把握可能になる。
【０００９】
従来技術の表示装置１において、一覧表示中の副領域９に対しては、入力部４からスクロール指示が可能である。従来技術の表示装置１において、入力されたスクロール指示に応答して、副領域９に縮小表示される画像情報が、少なくとも１頁ずつ入換えられる。スクロール指示は、たとえば、次の２通りの手法が挙げられる。
【００１０】
スクロール指示の１番目の手法としては、副領域９の左右の端にそれぞれ表示されるスクロールボタン１３を利用者がタッチする、すなわち、表示部３の画面内の該スクロールボタン１３が表示される範囲内の座標を入力部４から指示入力する。これによって、１回のタッチごとに、１頁分ずつのスクロールが指示される。
【００１１】
スクロール指示の２番目の手法としては、矢印１４で示すように、副領域９上を利用者が左右へなぞる、すなわち、表示部３の画面７内の副領域９の範囲内の複数の座標を入力部４から連続して指示入力する。これによって、１回のなぞる動作ごとに、なぞられた軌跡の長さに応じた頁分のスクロールが指示される。
【００１２】
上述したように、記憶部６に記憶される既存の複数の頁の画像情報から再表示すべき頁の画像情報を選ぶ際、利用者は、記憶部６内のすべての頁の画像情報の中から所望の頁の画像情報を探出す必要がある。既存の頁の画像情報の数が増加するほど、所望の頁の画像情報を探出す手間が増えるため、所望の頁の簡便かつ素早い検索が困難になる。
【００１３】
具体的には、所望の頁の画像情報の検索のために縮小表示を用いた副領域９の一覧表示を参照する場合、副領域９に一度に縮小表示が可能な画像情報の数には限りがある。記憶部６に記憶される既存の頁の画像情報が副領域９に一度に縮小表示可能な数を超えていれば、すべての既存の頁の画像情報を参照するためには、利用者は、副領域９に対してスクロールを指示して縮小表示される頁の画像情報を変更させつつ、副領域９の縮小表示された各頁の画像情報から該各頁の記載内容を読取る必要がある。
【００１４】
このようなスクロールを伴う検索は、スクロール前後の頁の画像情報の比較が難しいので、既存の頁の画像情報が増加するほど、所望の頁の画像情報の検索が困難になる。また、前述のスクロールを伴う検索は、既存の頁の画像情報の数が増加するほど、スクロール指示の回数が増加するので、利用者の手間が増大し、素早い検索が困難になる。
【００１５】
また、前述したような副領域９の一覧表示を参照して利用者が所望の頁の画像情報を検索する場合、副領域９に一度に一覧表示可能な頁の画像情報の数を増加させるほど、スクロールの回数を軽減可能になる。しかしながら、前記一度に一覧表示可能な画像情報の数を増加させるほど、単一の頁の画像情報がより小さく縮小される。各頁の画像情報の縮小表示の大きさが小さくなるほど、副領域９の縮小表示から各頁の画像情報の記載内容を利用者が把握することは難しい。特に、細かい文字および図形を用いて内容が記載される頁の画像情報は、縮小表示されるほど、副領域９の縮小表示からの記載内容の把握が困難になる。
【００１６】
上述のような副領域９の一覧表示を参照した検索の場合、利用者は、副領域９内の縮小表示中の各頁の画像情報を順次選択指示して、主領域８に該頁の画像情報を順次詳細に表示させて、主領域８の詳細表示から各頁の画像情報の記載内容を把握する。このような主領域８への画像情報の詳細表示を伴う検索は、各頁の画像情報の詳細表示を逐次行う分だけ時間がかかるため、検索に伴う時間が非常に長くなりやすい。
【００１７】
以上説明したように、従来技術の表示装置１において、多数の既存の頁の画像情報の中から所望の頁の画像情報を検索する場合、利用者は、副領域９のスクロール指示と副領域９内の縮小表示中の各頁の画像情報の選択指示とを繰返す必要が生じる。ゆえに、従来技術の表示装置１において、前述の再表示の場合、既存の頁の画像情報が増加するほど、利用者の操作ステップが増加するため、検索に要する時間および手間が増加する。したがって、既存の頁の画像情報が増加するほど、従来技術の表示装置１の使い勝手が悪くなる。
【００１８】
第１の従来技術として、特許文献１に記載される情報処理装置がある。特許文献１の情報処理装置は、１以上のメニュー項目を有するドロップダウンメニューを、表示器に表示する。各メニュー項目には所定のメニュー値が予め対応付けられている。ユーザの操作に応答して、ドロップダウンメニュー内のいずれかのメニュー項目が選ばれると、選択されたメニュー項目に対応するメニュー値に基づいた処理を、情報処理装置が実行する。
【００１９】
特許文献１の情報処理装置において、ユーザの操作に応答して、既存のドロップダウンメニューに付箋が付与され、付与された付箋に予め定めるメニュー値が対応付けられる。付与された付箋は、既存のメニュー項目と同等に機能する。すなわち、ドロップダウンメニュー内からメニュー項目が選択される処理時に、ユーザは、既存のメニュー項目および新規の付箋の中から、所望の処理に対応するいずれかを選択する。メニュー項目に代わって付箋が選択された場合、付箋に予め対応付けられるメニュー値に応じた処理が実行される。すなわち、特許文献１の情報処理装置は、既存のメニュー項目を有するドロップダウンメニューに、ユーザが望むメニュー項目を、付箋の形で追加させることになる。
【００２０】
たとえば、従来技術の情報処理装置は、ドロップダウンメニューを用いて所望の処理を選択実行する際に、該所望の処理に係るメニュー値に関連付けられたメニュー項目を、多数のメニュー項目からユーザに選択させるので、ユーザに手間を多く掛けさせる。特許文献１の情報処理装置は、前記所望の処理を関連付けた新たな付箋を、ユーザの操作に基づいてドロップダウンメニューに事前に追加しておく。前記情報処理装置において、付箋はメニュー項目と並立して機能している。すなわち、付箋は、既存のメニュー項目に対する新規のメニュー項目として位置付けられ、いわゆるショートカットキーのように作用する。付箋はメニュー項目と同等に機能するが、メニュー項目よりも強調して表示される。このため、前記所望の処理の選択実行時に、該所望の処理に係るメニュー値をユーザは容易に選択可能になる。
【先行技術文献】
【特許文献】
【００２１】
【特許文献１】特開２００７−１４１０５７号公報
【発明の概要】
【発明が解決しようとする課題】
【００２２】
電子黒板として利用される従来技術の表示装置１は、上述したように、既存の複数の頁の画像情報から利用者が所望の頁の画像情報を探出す状況下において、既存の頁の画像情報の数が増加するほど、所望の頁の画像情報を探出すための利用者の手間が増えるため、所望の頁の画像情報の簡便かつ素早い検索が困難になる。
【００２３】
具体的には、所望の頁の画像情報の検索のために縮小表示を用いた副領域９の一覧表示を参照する場合、既存の頁の画像情報の数が増加するほど、スクロール指示の回数が増加するので、利用者の手間が増大し、素早い検索が困難になる。また、副領域９に一度に一覧表示可能な頁の画像情報の数を増加させるほど、スクロール指示の回数は削減可能だが、単一の頁の画像情報が縮小されるため、利用者が該頁の画像情報の記載内容を把握することが困難になる。さらにまた、副領域９内の縮小表示中の各頁の画像情報を主領域８に順次詳細表示させる場合、各頁の画像情報の記載内容の把握は容易になるが、各頁の詳細表示を逐次行う分だけ時間がかかるため、検索に伴う時間が非常に長くなりやすい。
【００２４】
特許文献１の情報処理装置において、付箋は、既存のメニュー項目に対する新規のメニュー項目として位置付けられる。しかしながら、特許文献１の情報処理装置は、メニュー項目と付箋とが関連付けられておらずに並立している。ゆえに、表示される多数のメニュー項目の検索を、付箋を利用して簡便化することは難しい。
【００２５】
本発明の目的は、既存の多数の画像情報の中から利用者が所望する画像情報を簡便かつ素早く検索可能な表示装置および表示方法を提供することである。
【課題を解決するための手段】
【００２６】
本発明は、１以上の画像情報のうちの１つを表示可能な画面を有する表示部と、
前記表示部の画面に表示されている画像情報を選択する選択指示を入力するための入力部と、
前記入力部によって選択指示が入力されたとき、前記表示部の画面に表示される画像情報を選択し、選択された該画像情報に予め定める付箋情報を付与し、付与された付箋情報を該付箋情報が付与された画像情報に関連付けて前記表示部の画面に表示させる制御部と、
前記表示部の画面に表示されるべき１以上の画像情報を記憶し、かつ、画像情報に付箋情報が付与されているとき、該画像情報に付与される付箋情報を該画像情報に関連付けて記憶する記憶部と、を含み、
前記表示部の画面は、該画面内に並べて配置が可能な主領域および副領域を含み、
前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、
前記制御部は、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させることを特徴とする表示装置である。
【００３０】
また本発明は、前記制御部は、前記副領域に少なくとも１つの縮小された画像情報が表示される場合、該副領域に表示されるすべての縮小された画像情報のうちの少なくとも１つの縮小された画像情報に対応する縮小される前の画像情報を、前記表示部の主領域に表示させることを特徴する。
【００３１】
また本発明は、１以上の画像情報のうちの１つを表示するための画面を有する表示部と、前記表示部の画面に表示されている画像情報を選択する選択指示を入力可能な入力部と、前記表示部の画面に表示されるべき１以上の画像情報を記憶し、かつ、画像情報に付箋情報が付与されているとき、該画像情報に付与される付箋情報を該画像情報に関連付けて記憶する記憶部とを含む表示装置で実行される表示方法であって、
前記入力部によって選択指示が入力されたとき、前記表示部の画面に表示される画像情報を選択する選択ステップと、
選択ステップで選択された画像情報に予め定める付箋情報を付与する付与ステップと、
付与ステップで付与された付箋情報を選択ステップで選択された画像情報に関連付けて前記表示部の画面に表示させる表示ステップとを含み、
前記表示部の画面は、該画面内に並べて配置が可能な主領域および副領域を含み、
前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、
前記表示ステップでは、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させることを特徴とする表示方法である。
【発明の効果】
【００３２】
本発明によれば、表示装置は、表示部と入力部と制御部とを含む。表示部は、１以上の画像情報のうちの１つを表示可能な画面を有する。入力部は、前記表示部の画面に表示されている画像情報を選択する選択指示を入力するために設けられる。制御部は、前記入力部によって選択指示が入力されたとき、前記表示部の画面に表示される画像情報を選択し、選択された該画像情報に予め定める付箋情報を付与する。また、前記制御部は、付与された付箋情報を、該付箋情報が付与された画像情報に関連付けて、前記表示部の画面に表示させる。
また、前記表示部の画面は、該画面内に並べて配置が可能な主領域および副領域を含み、前記制御部は、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させる。
【００３３】
これによって、本発明の表示装置は、入力部から入力される利用者の選択指示に応答して、表示部に表示される画像情報のうちの選択された画像情報だけに、付箋情報を付与することができる。かつ、本発明の表示装置は、付箋情報付与後において、表示部の画面への画像情報の表示に際し、画像情報だけでなく、付与された付箋情報を、該画像情報と関連付けて共に表示させることができる。
【００３４】
この結果、表示装置の利用者は、画像情報と付箋情報との関連付け表示の有無を確認することによって、該画像情報への付箋情報の付与状態、すなわち該画像情報への付箋情報の付与の有無を把握することができる。したがって、本発明の表示装置は、画像情報の取扱いに際し、画像情報の記載内容に直接基づいて取扱う手法だけでなく、画像情報への付箋情報の付与状態に基づいて取扱う手法を用いることができる。ゆえに、付箋情報のない従来技術より本発明のほうが画像情報の取扱い手法が増加するため、画像情報の取扱いの自由度を向上させることができる。
さらに、前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、前記制御部は、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させる。
【００３５】
たとえば、予め定める付与基準に応じて画像情報に付箋情報が選択的に予め付与されているならば、表示装置の利用者は、画像情報を詳細に直接確認して記載内容を把握しなくても、該画像情報への付箋情報の付与状態を確認して該画像情報の記載内容を類推することが可能になる。これによって、画像情報の詳細確認が困難な場合であっても画像情報の記載内容の類推が可能になる。以上の構成によって、従来技術よりも本発明のほうが、表示装置の使い勝手を向上させることができる。
【００３６】
また本発明によれば、表示装置は、前記表示部の画面に表示されるべき１以上の画像情報を記憶する記憶部をさらに含む。かつ、記憶部は、画像情報に付箋情報が付与されているとき、該画像情報に付与される付箋情報を該画像情報に関連付けて記憶する。前記入力部は、画像情報の表示を指示するための抽出表示指示をさらに入力可能に構成される。前記制御部は、前記入力部によって抽出表示指示が入力されたとき、前記記憶部に記憶されるすべての画像情報の中から、予め定める条件を満たす付箋情報が付与された画像情報を抽出し、抽出された画像情報を前記表示部の画面に表示させる。
【００３７】
これによって、本発明の表示装置は、予め定める条件を満たす付箋情報の付与の有無に応じて、記憶部内の既存の複数の画像情報の中から、１以上の画像情報を抽出して表示することができる。すなわち、本発明の表示装置は、付箋情報の付与状態の違いを利用して、複数の画像情報の中から１以上の画像情報を絞込む処理を行うことができる。これによって、本発明の表示装置は、表示装置における画像情報の取扱いの難易度を改善することができるため、表示装置の使い勝手をさらに向上させることができる。
【００３８】
たとえば、本発明の表示装置は、記憶部内の既存の多数の画像情報の中から利用者が所望する画像情報を検索する際に、付箋情報の付与状態の違いに応じて画像情報を抽出し表示部に表示することによって、検索候補となる１以上の画像情報を絞込んで利用者に提供することができる。記憶部内の既存のすべての画像情報から所望の画像情報を利用者が検索する場合よりも、付箋情報を用いて絞り込んだ画像情報から所望の画像情報を利用者が検索する場合のほうが、検索時の利用者の手間が軽減されるため、検索に要する時間が短縮される。これによって、表示装置の使い勝手をさらに向上させることができる。
【００４３】
また本発明によれば、前記制御部は、前記副領域に少なくとも１つの縮小された画像情報が表示される場合、該副領域に表示されるすべての縮小された画像情報のうちの少なくとも１つの縮小された画像情報に対応する縮小される前の画像情報を、前記表示部の主領域に表示させる。
【００４４】
これによって、本発明の表示装置は、画像情報が副領域に縮小して一覧表示される場合、一覧表示中の全画像情報の内の少なくとも１つを表示部の画面の主領域に縮小前の状態で表示させる。これによって、本発明の表示装置は、付箋情報が選択的に付与される画像情報の一覧表示と、１以上の画像情報の主表示とを、単一画面内に並べて行うことができる。したがって、一覧表示と主表示との切換えが不要になるので、表示装置の使い勝手がさらに向上する。
【００４５】
また本発明によれば、本発明の表示方法は、１以上の画像情報のうちの１つを表示するための画面を有する表示部と、前記表示部の画面に表示されている画像情報を選択する選択指示を入力可能な入力部とを含む表示装置で実行される。本発明の表示方法は、選択ステップと付与ステップと表示ステップとを含む。選択ステップでは、前記入力部によって選択指示が入力されたとき、前記表示部の画面に表示される画像情報を選択する。付与ステップでは、選択ステップで選択された画像情報に予め定める付箋情報を付与する。表示ステップでは、付与ステップで付与された付箋情報を選択ステップで選択された画像情報に関連付けて前記表示部の画面に表示させる。
前記入力部は、画像情報の抽出を指示するための抽出指示として、付箋情報に対応する複数の抽出指示用選択肢からなる抽出指示用選択肢群であって、前記主領域にウインドウ表示された抽出指示用選択肢群から１つの抽出指示用選択肢を入力可能であり、前記表示ステップでは、前記入力部によって抽出指示が入力されたとき、前記記憶部に記憶されるすべての画像情報の中から、入力された抽出指示用選択肢に対応する付箋情報が付与された画像情報を抽出し、抽出された画像情報を前記副領域に表示させる。
【００４６】
これによって、本発明の表示方法が用いられる場合、入力部から入力される利用者の選択指示に応答して、表示部に表示される画像情報のうちの選択された画像情報だけに、付箋情報が選択的に付与される。かつ、本発明の表示方法が用いられる場合、付箋情報付与後において、表示部の画面への画像情報の表示に際し、画像情報だけでなく、付与された付箋情報が、該画像情報と関連付けてともに表示される。
【００４７】
したがって、本発明の表示方法が用いられる場合、付箋情報を用いない従来技術よりも画像情報の取扱い手法が増加するため、画像情報の取扱いの自由度を向上させることができる。また、本発明の表示方法が用いられる場合、画像情報の詳細確認が困難な場合であっても画像情報の記載内容の類推が可能なので、画像情報の取扱いの難しさを軽減させることができる。
【図面の簡単な説明】
【００４８】
【図１】本発明の一実施形態である表示装置２１の構成を示すブロック図である。
【図２】表示装置２１の使用例である電子黒板の外観を示す図である。
【図３】記憶部２６に記憶される画像情報２７および付箋情報２８のデータ構成を示す模式図である。
【図４】表示装置２１における画像情報２７への付箋情報２８の選択的な付与処理時の表示部２３の画面３１の表示状態を示す図である。
【図５】表示装置２１における付箋情報２８を用いた画像情報２７の抽出表示処理時の表示部２３の画面３１の表示状態を示す図である。
【図６】表示装置２１の制御部２５の処理動作を説明するためのフローチャートである。
【図７】電子黒板として用いられる従来技術の表示装置１の外観を示す斜視図である。
【図８】表示装置１における表示部３の画面７の表示内容を示す図である。
【図９】画面７の一部分である副領域９の拡大図である。
【発明を実施するための形態】
【００４９】
図１は、本発明の一実施形態である表示装置２１の構成を示すブロック図である。図２は、表示装置２１の使用例である電子黒板の外観の一例を示す図である。本発明に係る表示方法は、表示装置２１で実行される。本実施形態の表示装置２１は、表示部２３、入力部２４、制御部２５、および記憶部２６を最低限含む。表示部２３は、画面３１を有する。記憶部２６は、画像情報２７および付箋情報２８を記憶する。画面３１は、主領域３３および副領域３４を含む。
【００５０】
本実施形態の表示装置２１において、表示部２３の画面３１は、１頁以上の画像情報２７のうちの１頁を表示可能に構成される。入力部２４は、表示部２３の画面３１に表示されている画像情報２７を選択するための選択指示を入力可能に設けられる。制御部２５は、入力部２４によって選択指示が入力されたとき、表示部２３の画面３１に表示される画像情報２７を選択し、選択された該画像情報２７に予め定める付箋情報２８を付与するとともに、付与された付箋情報２８を、該付箋情報２８が付与された画像情報２７に関連付けて、表示部２３の画面３１に表示させる。
【００５１】
これによって、本実施形態の表示装置２１は、入力部２４から入力される利用者の選択指示に応答して、表示部２３に表示される画像情報２７のうちの選択された画像情報２７だけに、付箋情報２８を付与することができる。また、本実施形態の表示装置２１は、付箋情報２８の付与後において、表示部２３の画面３１への画像情報２７の表示に際し、画像情報２７だけでなく、付与された付箋情報２８を、該画像情報２７と関連付けてともに表示させることができる。
【００５２】
このように、本実施形態の表示装置２１において、付箋情報２８が画像情報２７に選択的に付与される。かつ、表示装置２１において、表示部２３の画面３１への画像情報２７の表示の際には、付箋情報２８が未付与であれば画像情報２７だけが表示され、付箋情報２８が付与済であれば画像情報２７と付箋情報２８とが関連付けられてともに表示される。これらによって、表示装置２１の利用者は、画像情報２７と付箋情報２８との関連付け表示の有無を確認することによって、該画像情報２７への付箋情報２８の付与状態、すなわち該画像情報２７への付箋情報２８の付与の有無を把握することができる。
【００５３】
したがって、本実施形態の表示装置２１は、画像情報２７の取扱いに際し、画像情報２７の記載内容に直接基づいて取扱う手法だけでなく、画像情報２７への付箋情報２８の付与状態に基づいて取扱う手法を用いることが可能になる。ゆえに、付箋情報２８のない従来技術より本実施形態のほうが画像情報２７の取扱い手法が増加するため、画像情報２７の取扱いの自由度を向上させることができる。ゆえに、従来技術よりも本実施形態のほうが、表示装置２１の使い勝手を向上させることができる。
【００５４】
また上述のように、本実施形態の表示装置２１は、画像情報２７の表示時に、該画像情報２７に対する付箋情報２８の付与状態に応じて、画像情報２７と付箋情報２８とを選択的に相互に関連付けて、表示部２３の画面３１に表示させる。ゆえに、所定の付与基準に応じて画像情報２７に付箋情報２８が選択的に予め付与されているならば、表示装置２１の利用者は、画像情報２７を詳細に直接確認して記載内容を把握しなくても、該画像情報２７への付箋情報２８の付与状態を確認して該画像情報２７の記載内容を類推することが可能になる。これによって、本実施形態の表示装置２１は、画像情報２７の詳細確認が困難な場合であっても画像情報２７の記載内容の類推が可能になる。したがって、利用者における画像情報２７の取扱いの難しさが軽減されるため、表示装置２１の使い勝手が向上する。特に、本実施形態の表示装置２１は、画像情報２７に付箋情報２８を選択的に付与しておくことによって、既存の多数頁の画像情報２７の中から所望の画像情報２７を検索する場合に、検索の手間を軽減して検索に要する時間を短縮することが可能になる。
【００５５】
さらにまた上述したように、本実施形態の表示装置２１において、画像情報２７に付与される付箋情報２８は、該画像情報２７に関連付けられてともに表示される。この結果、利用者は、表示された画像情報２７を認識する際に付箋情報２８の付与状態をも同時に認識することが可能になる。ゆえに、画像情報２７に対する付箋情報２８の付与の状態を利用者が認識し易い。これによって、本実施形態の表示装置２１は、利用者の画像情報２７の取扱いの難しさをより軽減させることができるため、表示装置２１の使い勝手をさらに向上させることができる。
【００５６】
好ましくは、本実施形態の表示装置２１において、画像情報２７の記載内容を直接確認する場合よりも付箋情報２８の付与状態を確認する場合のほうが容易であるように、付箋情報２８の関連づけ表示が行われるとよい。たとえば、本実施形態の表示装置２１は、画像情報２７の記載内容よりも認識し易い図形を付箋情報２８として、画像情報２７近傍に表示する。この場合、画像情報２７の記載内容を直接確認するよりも付箋情報２８の付与状態を確認するほうが、確認が容易なので、本実施形態の表示装置２１における画像情報２７の取扱いの難しさがさらに軽減される。このため、表示装置２１の使い勝手がさらに向上する。
【００５７】
たとえば、利用者が多数頁の画像情報２７の中から所望の画像情報２７を探出す状況下において、付箋情報２８が無い場合は、多数頁の画像情報２７の記載内容を利用者が直接確認して所望の画像情報２７を探出す必要がある。前記状況下で画像情報２７に付箋情報２８が選択的に付与される場合、利用者は、画像情報２７への付箋情報２８の付与状態を確認すれば多数頁の画像情報２７の中から所望の画像情報２７の候補を容易に絞込むことができるので、絞込んだ候補の画像情報２７から所望の画像情報２７を探出せばよい。この結果、付箋情報２８を用いない従来技術の表示装置１よりも、付箋情報２８を付与する本実施形態の表示装置２１のほうが、前記状況下での画像情報２７の取扱いが容易になる。
【００５８】
上述した付箋情報２８は、基本的には、画像情報２７の分類を示す情報である。付箋情報２８が画像情報２７に選択的に付与される場合、利用者は、付箋情報２８の付与状態を参照して、付箋情報２８が付与される場合と付与されない場合の２パターンに、画像情報２７を分類することが可能になる。また付箋情報２８が２種類以上ある場合、利用者は、付箋情報２８の付与状態を参照して、２種類以上の付箋情報２８がそれぞれ付与される場合と付箋情報２８が１つも付与されない場合の「付箋情報２８の種類の数より１多い数」のパターンに、画像情報２７を分類することが可能になる。このように、本実施形態の表示装置２１は、付箋情報２８の付与状態によって、画像情報２７の分類分けを利用者に提示することができるため、表示装置２１の使い勝手がさらに向上する。
【００５９】
付箋情報２８を用いる分類としては、たとえば、所定の分別基準を基準とする分類分けが挙げられる。１以上の画像情報２７のうちの所定の分類基準を満たす画像情報２７だけに付箋情報２８が付与されている場合、付箋情報２８の付与状態に基づいて、所定の分類基準を満たす画像情報２７を、利用者が容易に把握することができる。分割基準の具体例としては、利用者が認定する画像情報２７の重要度の高低が挙げられる。この例では、１以上の画像情報２７のうち重要度が高い画像情報２７だけに付箋情報２８が付与されるので、付箋情報２８の付与状態に基づいて、画像情報２７の重要度の高低を利用者が容易に把握することができる。すなわち、本実施形態の表示装置２１において、画像情報２７に選択的に付与される付箋情報２８は、紙媒体に選択的に付与される紙の付箋と同等の効果を生じさせることができる。ゆえに、本実施形態の表示装置２１の使い勝手が向上する。
【００６０】
また本実施形態の表示装置２１において、記憶部２６は、表示部２３の画面３１に表示されるべき１頁以上の画像情報２７を記憶する。かつ、記憶部２６は、画像情報２７に付箋情報２８が付与されているとき、該画像情報２７に付与される付箋情報２８を、該画像情報２７に関連付けて記憶する。入力部２４は、前述の選択指示のほかに、画像情報２７の抽出表示を指示するための抽出表示指示を入力可能に構成される。制御部２５は、入力部２４によって抽出表示指示が入力されたとき、記憶部２６に記憶されるすべての頁の画像情報２７の中から、予め定める抽出条件を満たす付箋情報２８が付与された画像情報２７を抽出し、抽出された画像情報２７を表示部２３の画面３１に表示させる。
【００６１】
これによって、本実施形態の表示装置２１は、所定の抽出条件を満たす付箋情報２８の付与の有無に応じて、記憶部２６内の既存の複数頁の画像情報２７の中から、１頁以上の画像情報２７を抽出して表示することができる。すなわち、本実施形態の表示装置２１は、付箋情報２８の付与状態の違いを利用して、複数頁の画像情報２７の中から１頁以上の画像情報２７を絞込む処理を行うことができる。これによって、本実施形態の表示装置２１は、表示装置２１における画像情報２７の取扱いの難易度を改善することができるため、表示装置２１の使い勝手をさらに向上させることができる。
【００６２】
たとえば、利用者が記憶部２６内の多数頁の画像情報２７の中から所望の画像情報２７を検索する状況下において、付箋情報２８が無い従来技術の表示装置は、多数頁の画像情報２７の記載内容を利用者にそれぞれ直接把握させる必要がある。前記状況下において、画像情報２７に付箋情報２８を選択的に付与させる本実施形態の表示装置２１は、付箋情報２８の付与状態の違いに応じて、多数頁の画像情報２７の中から検索候補となる画像情報２７を絞込んで表示可能である。このため、利用者は、絞込み表示された１頁以上の画像情報２７の中から所望の画像情報２７を検索すればよい。この結果、付箋情報２８を用いない従来技術の表示装置よりも、付箋情報２８を用いる本実施形態の表示装置２１のほうが、利用者が所望の画像情報２７を検索する際の手間が軽減されるため、画像情報２７の取扱いが容易になり、検索に要する時間を短縮することができる。したがって、本実施形態の表示装置２１の使い勝手がより向上する。
【００６３】
また好ましくは、本実施形態の表示装置２１において、前述した予め定める付箋情報２８は、相互に区別が可能な予め定める複数種類の付箋情報２８を含んで構成される。また入力部２４は、前述の選択指示に加えて、予め定める複数種類の付箋情報２８の中から１つの種類の付箋情報２８を選択するための付箋付与選択指示をさらに入力可能に構成される。制御部２５は、入力部２４によって付箋付与入力指示が入力されたとき、前記選択指示に応じて選択された画像情報２７に付与する付箋情報２８として、前記付箋付与選択指示によって選択された付箋情報２８を用いる。
【００６４】
これによって、本実施形態の表示装置２１において、入力部２４からの入力結果に基づいて、選択された画像情報２７には、複数種類の付箋情報２８のうちの選択された少なくとも１つが付与され、両者が相互に関連付けられて表示される。この結果、本実施形態の表示装置２１の利用者は、付箋情報２８の付与の有無だけでなく、付与された付箋情報２８の種類に応じて、画像情報２７を取扱うことができる。ゆえに、付箋情報２８のない従来技術より本実施形態のほうが画像情報２７の取扱い手法がより増加するため、従来技術よりも本実施形態のほうが表示装置２１の使い勝手をさらに向上させることができる。
【００６５】
複数種類の付箋情報２８が選択的に画像情報２７に付与されて関連付け表示される場合、表示装置２１の利用者は、たとえば、付箋情報２８の関連付け表示の有無および付与される付箋情報２８の種類の違いを利用して、複数の画像情報２７の分類を行うことが可能になる。すなわち、本実施形態の表示装置２１は、「付箋情報２８の種類の数より１多い数」のパターンに画像情報２７を分類可能である。ゆえに、本実施形態の表示装置２１は、複数の画像情報２７の記載内容の違いを、付箋情報２８の付与状態の違いを用いて、簡易な手法を用いてより詳細に利用者に提示可能になる。したがって、表示装置２１における画像情報２７の取扱いの難しさがより改善可能になるため、表示装置２１の使い勝手がさらに向上する。
【００６６】
具体例としては、本実施形態の表示装置２１は、複数種類の付箋情報２８を選択的に画像情報２７に付与するので、付箋情報２８の付与状態の違いを用いて既存の多数の画像情報２７から検索候補の画像情報２７を抽出する場合に、検索候補をより詳細に絞込むことができる。これによって、本実施形態の表示装置２１は、利用者の検索の手間をより簡便化することができるため、検索に要する時間をより短縮することができる。したがって、表示装置２１の使い勝手がより向上する。
【００６７】
さらにまた好ましくは、本実施形態の表示装置２１において、制御部２５は、表示部２３の画面３１に表示されるべき１頁以上の画像情報２７を縮小し、縮小した画像情報２７を表示部２３の画面３１に表示させる。かつ、制御部２５は、縮小前の画像情報２７に付箋情報２８が付与されているとき、該縮小前の画像情報２７に付与されている付箋情報２８を、該付箋情報２８が付与されている画像情報２７を縮小した画像情報２７に関連付けて表示部２３の画面３１に表示させる。
【００６８】
これによって、本実施形態の表示装置２１において、縮小表示される画像情報２７に、該画像情報２７に付与される付箋情報２８が関連付けて表示される。この結果、画像情報２７が縮小表示されて利用者が該画像情報２７の内容を判別し難い状況下において、利用者は、画像情報２７の直接の認識結果ではなく、付箋情報２８の付与状態の認識結果に基づいて該画像情報２７を取扱うことが可能になる。ゆえに、画像情報２７が縮小表示される状況下での画像情報２７の取扱いに係る利用者の負荷がより軽減されるため、本実施形態の表示装置２１の使い勝手がより向上する。
【００６９】
たとえば、画像情報２７を利用者が目視する状況下において、画像情報２７を元々の大きさで表示する場合よりも、該画像情報２７を縮小表示する場合のほうが、既定の大きさの画面３１内に表示可能な画像情報２７の頁数を増加可能である。ゆえに、画像情報２７が縮小表示されるほど、画像情報２７の一覧表示時の同時表示頁数が増加するため、多数の画像情報２７を利用者に提示する際に一覧表示を更新する回数が低減される。しかしながら、画像情報２７が縮小表示されるほど、画像情報２７内の文字や図形が小さくなるため、利用者は記載内容を把握し難くなる。
【００７０】
本実施形態の表示装置２１は、縮小表示される画像情報２７に対して、付箋情報２８が選択的に付与されて関連付け表示される。このような状況下においては、画像情報２７を利用者が直接認識して記載内容を直接把握する従来技術の手法よりも、付箋情報２８の付与状態を利用者が認識して画像情報２７の記載内容を類推する本実施形態の手法のほうが、利用者の負荷を軽減することができる。この結果、本実施形態の表示装置２１は、画像情報２７の縮小表示時における利用者の負荷を軽減させることができるため、該表示装置２１の使い勝手をさらに向上させることができる。
【００７１】
特に、画像情報２７が縮小表示されて利用者が記載内容を目視で判別し難い状況下においても、画像情報２７に付箋情報２８が選択的に付与されて両者が相互に関連付け表示されていれば、画像情報２７の記載内容を画像情報２７自体ではなく付箋情報２８の付与状態から利用者が把握することが可能になる。ゆえに、画像情報２７の記載内容を利用者が把握し易くなるので、画像情報２７を改めて詳細表示させる必要が無くなる。ゆえに、本実施形態の表示装置２１は、画像情報２７の利用時の利用者の手間が軽減されるため、画像情報２７の検索に要する時間をより短縮することができる。したがって、表示装置２１の使い勝手がさらに向上する。
【００７２】
さらにまた好ましくは、本実施形態の表示装置２１において、表示部２３の画面３１は、前述したように、画面３１内に並べて配置が可能な主領域３３および副領域３４を含む。制御部２５は、１頁以上の画像情報２７を表示部２３の画面３１の副領域３４に表示させる。かつ、制御部２５は、副領域３４に表示される画像情報２７に付箋情報２８が付与されているとき、該付箋情報２８を該画像情報２７に関連付けて表示部２３の画面３１の副領域３４に表示させる。さらに、制御部２５は、副領域３４に少なくとも１頁の画像情報２７が表示される場合、該副領域３４に表示されるすべての頁の画像情報２７のうちの少なくとも１頁の画像情報２７を、表示部２３の主領域３３に表示させる。
【００７３】
これによって、本実施形態の表示装置２１は、１頁以上の画像情報２７を、付箋情報２８を選択的に関連付けつつ表示部２３の画面３１の副領域３４に一覧表示させる。また、本実施形態の表示装置２１は、画像情報２７が副領域３４に一覧表示される場合、一覧表示中の全画像情報２７の内の少なくとも１頁を表示部２３の画面３１の主領域３３に表示させる。これによって、本実施形態の表示装置２１は、付箋情報２８が選択的に付与される画像情報２７の一覧表示と、１頁以上の画像情報２７の主表示とを、単一の画面３１内に並べて行うことができる。したがって、一覧表示と主表示との切換えが不要になるので、表示装置２１の使い勝手がさらに向上する。
【００７４】
主領域３３および副領域３４は、たとえば、表示部２３の画面３１を２以上に分割した状況下において、複数の分割領域のそれぞれいずれかであってもよい。またたとえば、主領域３３および副領域３４は、表示部２３の画面３１内にそれぞれ設けられるいわゆるウインドウ枠であってもよい。さらにまた、主領域３３が複数用意され、副領域３４の一覧表示中の画像情報２７を各主領域３３にそれぞれ表示させる構成であってもよい。
【００７５】
１例としては、本実施形態の表示装置２１において、表示部２３の主領域３３は、たとえば、表示装置２１の各種機能の実行時に該機能の処理対象となる画像情報２７を表示するために用いられる。表示装置２１の機能には、たとえば、画像情報２７の新規作成機能、既存の画像情報２７の記載内容を利用者に直接提示するための閲覧機能、および、入力部２４の入力結果に応答して既存の画像情報２７の記載内容を変更するための編集機能が含まれる。すなわち、入力部２４からの入力指示に応答して、新規の画像情報を制御部２５が作成可能であり、かつ、主領域３３に表示される画像情報の記載内容を制御部２５が変更可能である。主領域３３において新規作成または編集された画像情報は、記憶部２６に記憶される。
【００７６】
また１例としては、副領域３４は、たとえば、主領域３３に表示すべき画像情報の切換え時において、１頁以上の既存の画像情報の利用者への提示に用いられる。表示部２３の画面３１内において、副領域３４は、主領域３３と並列に並べられる。これに限らず、副領域３４は、表示部２３の画面３１内において主領域３３と少なくとも一部分が重なっていても良い。また副領域３４は、副領域３４を利用した処理が実行される間だけ画面３１内に表示され、前記処理が実行されていない間は未表示になっていてもよい。
【００７７】
上述の例などの場合、本実施形態の表示装置２１は、主領域３３に表示可能な画像情報２７の一覧を副領域３４で表示しつつ、一覧表示中の全画像情報２７のうちのいずれか１頁の画像情報２７を主領域３３に表示して表示装置２１の各機能を実行することができる。ゆえに、本実施形態の表示装置２１は、一覧表示と各種機能用表示とを単一の画面３１内で並列実行するため、両表示の切換が不要になるので、表示装置２１の使い勝手をさらに向上させることができる。
【００７８】
また、本実施形態の表示装置２１が画像情報２７の縮小一覧表示を行う場合、縮小された画像情報２７の一覧表示が副領域３４で行われる。この場合、副領域３４の一覧表示内から選ばれた画像情報２７が主領域３３に縮小表示よりも大きく表示されるならば、利用者は、副領域３４で画像情報２７への付箋情報２８の付与状態を確認しつつ、主領域３３で画像情報２７の記載内容を直接確認することができる。これによって、利用者は、画像情報２７の付箋情報２８の付与状態と画像情報２７の記載内容との両方を参照して、一覧表示中の画像情報２７のいずれか１つを選択することができる。したがって、本実施形態の表示装置２１の使い勝手がさらに向上する。
【００７９】
さらにまた、本実施形態の表示装置２１が画像情報２７の抽出結果の一覧表示を行う場合、抽出結果の一覧表示は副領域３４で行われる。この場合、副領域３４の一覧表示内から選ばれた画像情報２７が主領域３３に表示されるならば、副領域３４の抽出結果が主領域３３にも反映されるため、表示装置２１の使い勝手がより向上する。なお、たとえば、画像情報２７の抽出処理によって１頁分も画像情報２７が抽出されない場合、表示装置２１の記憶部２６内の全頁の画像情報２７のうちのいずれか１頁の画像情報２７を、主領域３３に表示させるとよい。これによって、本実施形態の表示装置２１は、画像情報２７の抽出結果を反映しつつ、主領域３３に画像情報２７を必ず１頁は表示するので、表示装置２１の使い勝手がさらに向上する。
【００８０】
また好ましくは、本実施形態の表示装置２１において、入力部２４は、前述の選択指示に加えて、画像情報２７に付与されている付箋情報２８の除去を指示するための付箋除去指示をさらに入力可能に構成される。また制御部２５は、入力部２４によって付箋除去指示が入力されたとき、選択指示に応じて選択された画像情報２７に付与される付箋情報２８を外す。
【００８１】
これによって、本実施形態の表示装置２１は、画像情報２７に対して付箋情報２８を選択的に付与するだけでなく、付与された付箋情報２８を該画像情報２７から外すことができる。この結果、表示装置２１は、入力部２４の入力結果に応答して、画像情報２７に対して付箋情報２８を選択的に付けたり外したりすることができる。すなわち、表示装置２１は、紙媒体に紙の付箋を選択的に貼ったり剥がしたりすることと同等の効果を生じさせることができる。これによって、付箋情報２８の付与状態の自由度が向上するので、表示装置２１の使い勝手がさらに向上する。
【００８２】
以上説明したように、上述の表示部２３および入力部２４を含む本実施形態の表示装置２１における表示手法は、選択ステップと付与ステップと表示ステップとを含む処理で実現される。選択ステップでは、入力部２４によって選択指示が入力されたとき、表示部２３の画面３１に表示される画像情報２７を選択する。付与ステップでは、選択ステップで選択された画像情報２７に予め定める付箋情報２８を付与する。表示ステップでは、付与ステップで付与された付箋情報２８を選択ステップで選択された画像情報２７に関連付けて前記表示部２３の画面３１に表示させる。
【００８３】
これによって、本実施形態の表示手法が用いられる場合、入力部２４から入力される利用者の選択指示に応答して、表示部２３に表示される画像情報２７のうちの選択された画像情報２７だけに、付箋情報２８が選択的に付与される。かつ、上述の場合、付箋情報２８の付与後において、表示部２３の画面３１への画像情報２７の表示に際し、画像情報２７だけでなく、付与された付箋情報２８が、該画像情報２７と関連付けてともに表示される。ゆえに、上述の場合、付箋情報２８を用いない従来技術よりも画像情報２７の取扱い手法が増加するため、画像情報２７の取扱いの自由度を向上させることができる。また上述の場合、画像情報２７の詳細確認が困難な場合であっても画像情報２７の記載内容の類推が可能なので、画像情報２７の取扱いの難しさを軽減させることができる。
【００８４】
前述した特許文献１の情報処理装置において、付箋はメニュー項目と並立して機能している。すなわち、付箋は、既存のメニュー項目に対する新規のメニュー項目として位置付けられ、いわゆるショートカットキーのように作用する。また特許文献１の情報処理装置は、処理の元となるメニュー値にメニュー項目および付箋がそれぞれ関連付けられている。メニュー項目および付箋は、所望のメニュー値を選択することだけに使われており、メニュー値の分類分け等に利用されていない。また特許文献１の情報処理装置は、１つのメニュー値にメニュー項目と付箋とをそれぞれ関連付ける場合はあるが、１種類の付箋に複数のメニュー値を関連付けてはいない。ゆえに、既存のメニュー項目の強調、および複数の既存のメニュー項目の分類分け等の処理時に、付箋を使って処理を効率化することは難しい。
【００８５】
これに対し、本実施形態の表示装置２１は、画像情報２７に付箋情報２８を選択的に付与し、付箋情報２８を画像情報２７に関連付けて表示しているため、画像情報２７の検索および分類分け等に付箋情報２８を利用可能である。また本実施形態の表示装置２１は、付箋情報２８の付与状態に応じて画像情報２７を抽出して絞込み表示するため、利用者による画像情報２７の分類分けおよび検索等の効率化が可能である。したがって、特許文献１の情報処理装置よりも本実施形態の表示装置２１のほうが、付箋情報２８を有効に活用して、表示装置２１の使い勝手を向上させることができる。
【００８６】
本実施形態の表示装置２１において、画像情報２７は、たとえば、静止画を表す情報であってもよく、動画を表す情報であってもよい。また画像情報２７は、２次元画像に限らず、３次元画像等であっても構わない。画像情報２７の規格は、たとえば、ビットマップ方式であってもよく、ベクタ方式であってもよい。本実施形態の具体例としては、１頁分の画像情報２７は、該画像情報２７の記載内容の表現に必要な１以上の図形の描画に要する各種パラメータを含むことが可能である。
【００８７】
表示部２３は、たとえば、画像情報２７を目視化して表示する構成を持つ機能部で実現される。画像情報２７を目視化して表示する表示部２３としては、平面ディスプレイ、プロジェクタ、および陰極線管が挙げられる。平面ディスプレイとしては、たとえば、液晶ディスプレイ（Liquid Crystal Display：以下「ＬＣＤ」という）、およびプラズマディスプレイが挙げられる。これらの構成に限らず、表示部２３は、画像情報２７および付箋情報２８を表示可能な画面３１を有する構成であれば、他の構成で実現されてもよい。たとえば、表示部２３は、音源およびスピーカを含んで実現され、画像情報２７および付箋情報２８の少なくとも一方を音響化して表示してもよい。
【００８８】
入力部２４としては、たとえば、座標を入力するためのポインティングデバイス、キー入力のためのキーボード、および音響入力のためのマイクロフォンが挙げられる。ポインティングデバイスとしては、たとえば、タッチパネル、タブレット、およびマウスが挙げられる。これらの構成に限らず、入力部２４は、表示装置２１の利用者の指示を入力可能な構成であれば、他の構成で実現されてもよい。また、図１の例では、表示部２３の表示器３６と入力部２４の入力器３８が独立する構成になっているが、表示器３６と入力器３８とが相互に一部の部品を共有する構成になっていてもよい。
【００８９】
記憶部２６としては、たとえば、ランダムアクセスメモリ（Random Access Memory：略称「ＲＡＭ」）を含む半導体メモリ、およびハードディスクドライブ（Hard disk drive：略称「ＨＤＤ」）が挙げられる。この構成に限らず、記憶部２６は、画像情報２７および付箋情報２８を相互に関連付けて記憶可能な構成であれば、他の構成で実現されてもよい。たとえば、本実施形態の表示装置２１は、表示部２３および入力部２４を含む表示装置２１の外部に、記憶部２６が設けられる構成であってもよい。この場合、表示装置２１は、表示部２３と入力部２４と制御部２５との他に、外部の通信網に接続された各種機器との間で相互に情報の送受が通信可能な外部通信部を表示装置２１がさらに含む。制御部２５は、画像情報２７の表示に際し、画像情報２７および付箋情報２８のうちの少なくとも一部を、外部通信部を介して外部通信網に接続される外部記憶部から取得し、処理を行う。
【００９０】
本実施形態の表示装置２１は、具体的な１例としては、いわゆるタッチディスプレイで実現される。タッチディスプレイは、概略的には、利用者に対して画像情報２７を提示するための表示装置である。タッチディスプレイは、画像情報２７を目視化して表示部２３の画面３１に表示させる。タッチディスプレイは、表示部２３と入力部２４とが組合わせた構成を有する。
【００９１】
本実施形態の表示装置２１がタッチディスプレイを実現する場合、該表示装置２１は、表示部２３と入力部２４とが組合わされた構成を有する。この場合、表示部２３は、画面３１に画像情報２７を目視化して表示可能に構成される。またこの場合、入力部２４は、表示部２３の画面３１内の座標を直接的に指示可能に構成される。具体例としては、入力部２４は、表示部２３の画面３１内の座標を指示可能なポインティングデバイスによって構成される。またタッチディスプレイは、好ましくは、画像情報２７の新規作成および既存の画像情報２７の編集をも可能になるように構成される。
【００９２】
具体的には、タッチディスプレイを実現する表示装置２１において、平面状の画面３１を形成する表示器３６を表示部２３が含み、透明かつ平面状の入力面３９を有する入力器３８を入力部２４が含む。入力器３８の平面状の入力面３９は、表示器３６の平面状の画面３１に重ねて配置される。入力器３８の入力面３９が透明であるので、利用者は、入力面３９を透過して表示部２３の画面３１の表示内容を目視可能である。
【００９３】
タッチディスプレイを実現する本実施形態の表示装置２１において、入力部２４の入力器３８の入力面３９内の座標と、該表示部２３の画面３１内の座標とは、１対１で対応付けられている。たとえば、入力器３８の入力面３９と表示器３６の画面３１とが重ねあわされた状態では、入力器３８の入力面３９内の単一点の座標は、表示部２３の画面３１内の該入力面３９内の単一点の直下に当たる点の座標に対応付けられる。ゆえに、入力器３８の入力面３９内の座標と表示部２３の画面３１内の座標とは、１対１で変換が可能である。
【００９４】
たとえば、表示部２３の画面３１内の所定の図形が表示された領域内の画面内座標に対応する入力面内座標が入力部２４から入力される場合、該所定の図形に予め対応付けられる指示が入力されたと、制御部２５が判断する。またたとえば、複数の入力面内座標が連続的または所定時間間隔に離散的に入力部２４から入力されると、入力された複数の入力面内座標にそれぞれ対応する画面内座標を順次繋ぐ線分の集合を、制御部２５が表示部２３の画面３１に描画させる。この結果、キーボードのボタンを操作する動作や紙に文字や図を描く動作と同様の感覚で、表示装置２１に対する各種の操作指示を利用者が行うことができるので、表示装置２１の使い勝手が向上する。
【００９５】
この結果、本実施形態の表示装置２１は、表示部２３および入力部２４によってタッチディスプレイを構成するため、いわゆるグラフィカルユーザインタフェース（Graphical User Interface：略称「ＧＵＩ」）環境を実現することができる。これによって、表示装置２１は、利用者に直感的な入力操作環境を提供することができる。さらに、表示装置２１は、画像情報２７への付箋情報２８の選択的な付与によって画像情報２７の取扱いが容易になっている。これらの結果、本実施形態の表示装置２１は、グラフィカルユーザインタフェース環境下において、付箋情報２８の選択的な付与状態を参照しつつ、利用者がより直感的な操作で画像情報２７を取扱うことができる。これによって、表示装置２１の使い勝手がさらに向上する。また、入力部２４がポインティングデバイスによって構成される場合、メーカが入力部２４を容易に形成することができるため、表示装置２１の製造が容易になって、製造コストの軽減に繋がる。
【００９６】
また、本実施形態の表示装置２１において、表示部２３の画面３１内には、主領域３３および副領域３４の他に、利用者の操作指示を受付けるためのいわゆる操作パネルを表示するための操作領域４１がさらに設けられている。操作パネルは、ツールバーとも称される。操作領域４１には、いわゆるアイコンと称される１以上の指示図形が描画されている。各指示図形は、表示装置２１が実行可能な各種の処理に対応付けられている。指示図形の１つは、付箋情報２８に係る処理に関連する指示を入力するための付箋アイコン４２で実現される。
【００９７】
また、本実施形態の表示装置２１において、主領域３３および副領域３４にも、１頁以上の画像情報２７および付箋情報２８の他に、画像情報２７および付箋情報２８に関する処理に関連付けられる１以上の指示図形が含まれている。たとえば、副領域３４には、縮小表示された画像情報２７の表示切換えに係る左右のスクロールボタン７４と、縮小表示中の画像情報２７のうちのいずれか１つを指定するためのカーソルの切換えに係る左右のカーソルボタン７５とを含む。
【００９８】
図３は、記憶部２６に記憶される画像情報２７および付箋情報２８のデータ構成を示す模式図である。記憶部２６には、複数頁分の画像情報２７が記憶され、かつ、画像情報２７ごとに、該画像情報２７に選択的に付与される付箋情報２８が関連付けて記憶される。このために、各画像情報２７に、該各画像情報２７の格納用アドレス４７と、該各画像情報２７に選択的に付与される付箋情報２８の格納用アドレス４８とが、記憶部２６内に設定される。たとえば、単一頁の画像情報２７に関し、該画像情報２７の格納用アドレス４７と該画像情報２７に選択的に関連付けられる付箋情報２８の格納用アドレス４８とは、記憶部２６内で連続している。
【００９９】
１例としては、１頁分の画像情報２７の格納用アドレス４７には、画像情報２７の記載内容の表現に係る情報が、記憶部２６内の画像情報２７の格納用アドレス４７に記憶される。前記画像情報２７の記載内容の表現に係る情報は、たとえば、該画像情報２７の図形オブジェクトの形状を示す情報、該図形オブジェクトの表示位置を示す座標、該図形オブジェクトのサイズを示す情報を含む。図形オブジェクトとは、表示部２３への目視表示のために、画像情報２７の記載内容を目視化した図形である。
【０１００】
また１例としては、記憶部２６内の付箋情報２８の格納用アドレス４８には、付箋情報２８の付与状態を示す情報が格納される。付箋情報２８の付与状態を示す情報は、付箋情報２８が１種類ならば付箋情報２８の付与の有無だけを示し、付箋情報２８が複数種類であれば付与の有無だけでなく現在付与されている付箋情報２８の種類をも示す。なお、付箋情報２８の付与状態を示す情報は、たとえば、画像情報２７と同様に、付箋情報２８の記載内容を表す図形オブジェクトに関する情報そのもので実現されてもよい。
【０１０１】
付箋情報２８の付与状態を示す情報が付与の有無および種類だけを表す場合、記憶部２６は、たとえば、全種類の付箋情報２８の記載内容を表す情報を、画像情報２７の格納用アドレス４７および付箋情報２８の格納用アドレス４８とは別の格納用アドレスに、付箋情報２８ごとに予め記憶している。制御部２５は、各画像情報２７の表示に際し、全種類の付箋情報２８の記載内容を表す情報のうちから、該各画像情報２７に関連する付箋情報２８の格納用アドレス４８の格納内容に応じた情報を読出して、表示部２３の表示に用いる。付箋情報２８の図形オブジェクトの形状は、予め定める付箋情報２８の種類分だけに限定されるので、このような構成であれば、各画像情報２７の付箋情報２８の格納用アドレス４８に格納される情報の情報量を減らすことができる。これによって、本実施形態の表示装置２１における画像情報２７および付箋情報２８の取扱いがさらに容易になる。
【０１０２】
本実施形態の表示装置２１は、たとえば、タッチディスプレイの用途例の１つである電子黒板として用いられる。電子黒板は、多数の利用者に対して提示するために用いられる。図２の例は、本実施形態の表示装置２１が電子黒板として用いられる場合の外観を示している。図２の例では、表示器３６に脚部５０がさらに取付けられており、表示器３６の画面３１を利用者に向け易くなるように構成されている。
【０１０３】
なお、図２の電子黒板の例では、本実施形態の表示装置２１の表示部２３の画面３１が鉛直方向に略並行になるように、表示部２３および入力部２４が配置されている。もちろん、本実施形態の表示装置２１の配置状態は、図２の例に限らず、その他の配置であってもよい。たとえば、本実施形態の表示装置２１がいわゆるタッチテーブルを実現する場合、表示部２３の画面３１が床面に対して略水平になるように配置されてもよい。
【０１０４】
もちろん、本実施形態の表示装置２１を実現するタッチディスプレイは、電子黒板やタッチテーブルに代表される大型の物に限らず、携帯用の小型のものであってもよい。また前記タッチディスプレイは、画像情報２７の提示に限定されるものではなく、通信機能などの他の機能を備えた複合的な機器であってもよい。たとえば、主領域３３に表示可能な画像情報２７が多数頁に渡る場合、またたとえば、副領域３４が比較的小さくて縮小表示時に画像情報２７の記載内容が把握し難い場合、本実施形態のように付箋情報２８が画像情報２７に選択的に付与可能であれば画像情報２７の取扱いが容易になるので、表示装置２１の使い勝手が向上する。
【０１０５】
再び図１を参照して、タッチディスプレイとして使用可能な本実施形態の表示装置２１の具体的な構成の１例を以下に説明する。本実施形態の表示装置２１は、図１の具体例の構成として、入力部２４と表示部２３と制御部２５と記憶部２６との他に、時計５１をさらに含む。制御部２５は、中央演算処理装置（Central Processing Unit：略称「ＣＰＵ」）によって実現される。記憶部２６は、１次記憶装置５２および２次記憶装置５３を含む。
【０１０６】
表示部２３は、前述した平面状の画面３１を有する表示器３６と、表示データ処理部５４とを含む。入力部２４は、前述した透明かつ平面状の入力器３８と、入力データ処理部５５とを含む。表示データ処理部５４は、一般的には表示ドライバとよばれる機能部である。入力データ処理部５５は、一般的にはタッチパネルドライバと称される機能部である。表示データ処理部５４および入力データ処理部５５は、それぞれ、制御部２５の演算機能で実現される場合もあり、専用の電子回路で実現される場合もある。
【０１０７】
１次記憶装置５２および２次記憶装置５３に記憶される情報は、制御部２５によって書込みおよび読出しが行われる。たとえば、２次記憶装置５３よりも１次記憶装置５２のほうが、情報の読出しおよび書込みが速い。またたとえば、１次記憶装置５２よりも２次記憶装置５３のほうが、情報の記憶容量が大きい。
【０１０８】
図１の具体例では、現在実行中の処理に直接的に関わる情報が１次記憶装置５２に記憶され、長期の保存が必要な情報が２次記憶装置５３に記憶される。１次記憶装置５２は、たとえば、ランダムアクセスメモリなどの半導体メモリで実現される。２次記憶装置５３は、たとえば、ハードディスクドライブで実現される。
【０１０９】
また、制御部２５が実行するべきソフトウェア５７およびドライバ５８が、２次記憶装置５３に記憶される。２次記憶装置５３内のソフトウェア５７は、たとえば、いわゆるシステムソフトウェアを含み、好ましくはアプリケーションソフトウェアをも含む。２次記憶装置５３内のドライバ５８は、たとえば、表示部２３および入力部２４を含む周辺機器を制御部２５が制御する際に実行すべきデバイスドライバソフトウェアを含む。また２次記憶装置５３は、各種ソフトウェア５７およびドライバ５８の実行時に参照すべき条件に係る情報をも記憶する。前記参照すべき条件に係る情報の１つは、後述する継続タッチ判定時間である。
【０１１０】
中央演算処理装置で実現される制御部２５は、記憶部２６内のソフトウェア５７を読出して実行することによって、各種の処理を行う。また、表示部２３と制御部２５との間の命令および情報の送受に伴い、制御部２５は、ドライバ５８を読出して実行することによって、表示部２３に関連する各種の処理を行う。また同様に、入力部２４と制御部２５との間の命令および情報の送受に伴い、制御部２５は、ドライバ５８を読出して実行することによって、入力部２４に関連する各種の処理を行う。
【０１１１】
時計５１は、時刻を計時するリアルタイムクロック（Real Time Clock：略称「ＲＴＣ」）によって構成される。時計５１は、たとえば、制御部２５を実現する中央演算処理装置内に配置される。制御部２５は、時計５１を参照することによって、現在の時刻を把握し、また各種の処理に係る時間を計測することができる。たとえば、制御部２５は、ジェスチャー操作が終了したか否かを判定するための時間計測時に、時計５１を用いる。
【０１１２】
図１の具体例において、表示部２３の表示器３６は、たとえば、平面状の画面３１を有するディスプレイ本体によって構成される。表示器３６の画面３１には、たとえば２次元座標系が設定される。表示データ処理部５４は、制御部２５から受取る画像情報２７を表示器３６の仕様に合う様態に変換し、変換した画像情報２７を表示器３６に送る。表示器３６は、表示データ処理部５４から受取る画像情報２７を、画面３１に目視化して表示する。
【０１１３】
図１の具体例において、入力部２４の入力器３８は、たとえば、ポインティングデバイスの１つであるタッチパネル本体で実現される。入力器３８の入力面３９は、表示器３６の画面３１と同形状になるように構成される。入力器３８は、指示具が入力器３８の入力面３９に触れているか否かを検出する。指示具は、たとえば入力面３９内の１点に接触可能な形状の部材であってもよく、利用者の指そのものであっても構わない。指示具が入力器３８に触れていることが検出された場合、入力器３８は、入力面３９内の指示具が触れている位置を検出し、入力面３９内の検出した位置を表す位置情報を、入力データ処理部５５に送る。もちろん、タッチパネルは、接触式の構成に限らず、非接触式の構成であってもよい。
【０１１４】
入力データ処理部５５は、入力器３８から受取る入力面３９内の位置情報を、表示器３６の画面３１内の位置を示す情報に変換し、変換した位置の情報を入力部２４からの入力結果として、制御部２５に送る。制御部２５は、入力データ処理部５５から最初に通知される位置情報が示す位置をタッチ開始位置とし、タッチ開始位置通知後に入力データ処理部５５から継続して知らされる位置情報が途切れたとき、最後に通知されていた位置情報が示す位置をタッチ終了位置とする。
【０１１５】
図１の具体例では、前述の１頁以上の画像情報２７および各画像情報２７に選択的に付与される付箋情報２８は、１次記憶装置５２に記憶される。この他に、１次記憶装置５２は、たとえば、ディスプレイ表示情報６１、タッチパネル入力座標６２、操作パネル表示情報６３、タッチ開始座標６４、およびタッチ終了時刻６５などの情報を記憶する。
【０１１６】
ディスプレイ表示情報６１は、表示部２３の画面３１に現在目視化して表示される画像情報２７の描画に係る情報である。タッチパネル入力座標６２は、入力器３８の入力面３９内から現在入力されている座標の情報である。操作パネル表示情報６３は、目視化された操作パネル全体の形状などを表す情報、ならびに、該操作パネルを表示すべき画面内座標および操作パネルの図形のサイズなどの情報を含む。操作パネルは、表示器３６の画面３１内の操作領域４１に表示され、好ましくは１以上の指示図形を含む。
【０１１７】
タッチ操作とは、指示具が入力面３９に触れた時点から、指示具が入力面３９に触れたまま指示具と入力器３８との接触箇所が移動する操作であり、指示具が入力面３９から離れる時点まで続く。ジェスチャー操作とは、継続して実行される複数回のタッチ動作を含む操作であって、１つのタッチ操作の終了から次のタッチ操作の開始までの時間が所定の継続タッチ判定時間５９内に収まるような操作を指す。継続タッチ判定時間５９は、２次記憶装置５３に記憶されており、最新のタッチ操作が前回のタッチ操作と継続するタッチ操作であるか否かの判定に用いられる。
【０１１８】
タッチ開始座標６４およびタッチ終了時刻６５は、１次記憶装置５２内に設けられる状態記憶領域６６に記憶される。タッチ開始座標６４は、入力器３８に対するジェスチャー操作内の最初のタッチ操作として、指示具が最初に入力器３８に触れた位置の座標である。タッチ終了時刻６５は、完了済のタッチ操作のうちの最新のタッチ操作において、指示具が終了位置で入力器３８から離れた時刻である。タッチ開始座標６４およびタッチ終了時刻６５は、現在実行中のタッチ操作に係る処理に用いられる。
【０１１９】
本実施形態の表示装置２１における画像情報２７の取扱い手順について、図１〜図３を参照して、以下に説明する。
【０１２０】
本実施形態の表示装置２１は、利用者が入力部２４を用いて入力した図形などの内容を、表示部２３の画面３１内の主領域３３に表示する。かつ、表示装置２１は、表示部２３の画面３１内の主領域３３の表示内容を記載内容とする画像情報２７を、主領域３３の１頁分の画像情報２７として、記憶部２６に記憶する。表示装置２１は、入力部２４からの指示に応答して、画像情報２７の頁数を自在に増減させることが可能である。
【０１２１】
本実施形態の表示装置２１において、複数頁の画像情報２７が記憶部２６に記憶されている場合、表示部２３の画面３１内の主領域３３には、記憶部２６内の全画像情報２７のうちの少なくとも１頁の画像情報２７が、目視化されて表示される。表示部２３の画面３１内の副領域３４には、たとえば利用者による画像情報２７の検索のために、記憶部２６内の全頁の画像情報２７のうちの予め定める頁数の画像情報２７が、それぞれ縮小化かつ目視化されて一覧表示される。
【０１２２】
本実施形態の表示装置２１において、副領域３４に縮小化されて一覧表示中の画像情報２７の中に主領域３３に現在表示中の画像情報２７が含まれる場合、たとえば、主領域３３に現在表示中の画像情報２７の副領域３４内の縮小表示７８が強調される。また、主領域３３に現在表示中の画像情報２７に付箋情報２８が付与されている場合、付与される付箋情報２８も強調表示される。後述する図４の例では、主領域３３に現在表示中の画像情報２７の副領域３４内の縮小表示７８は、矩形のカーソル枠７１で囲われることで強調表示され、該画像情報２７に付与された付箋情報２８の関連付け表示７９は、網掛け７２が重ねられることで強調表示される。
【０１２３】
本実施形態の表示装置２１において、副領域３４に一覧表示可能な画像情報２７の頁数は予め定められている。副領域３４に一覧表示すべき画像情報２７の頁数が副領域３４に一覧表示可能な画像情報２７の規定頁数を超えている場合、一覧表示中の副領域３４に対して、入力部２４からスクロール指示が可能である。入力されたスクロール指示に応答して、制御部２５は、指示の時点で副領域３４に一覧表示中の全画像情報２７のうちの少なくとも１頁の画像情報２７の縮小表示７８を消して、指示の時点で副領域３４に未表示である他頁の画像情報２７を、縮小化かつ目視化して表示する。
【０１２４】
利用者によるスクロール指示は、たとえば、次の２通りの手法が挙げられる。スクロール指示の１番目の手法としては、副領域３４の左右の端にそれぞれ表示されるスクロールボタン７４に対して、利用者がタッチ操作を行う。これによって、１回のタッチごとに、１頁分ずつのスクロールが指示される。スクロール指示の２番目の手法としては、副領域３４内に利用者が左右へ線分を描くようなジェスチャー操作を行う。これによって、１回のジェスチャー操作ごとに、描かれた線分の軌跡の長さに応じた頁分のスクロールが指示される。
【０１２５】
記憶部２６にすでに記憶される複数頁分の画像情報２７は、表示部２３の主領域３３に再度表示させることが可能である。本実施形態の表示装置２１において、一覧表示中の副領域３４に対しては、縮小表示された全頁の画像情報２７のうちからの選択指示が可能である。画像情報２７の選択指示の手法としては、たとえば、一覧表示中の全画像情報２７の中のいずれか１頁の画像情報２７の縮小表示７８に対して、利用者がタッチ操作を行う。これによって、１回のタッチ操作ごとに、前記いずれか１頁の画像情報２７の選択が指示される。副領域３４において選択指示された頁の画像情報２７は、主領域３３に表示される。この結果、選択指示された頁の画像情報２７が、主領域３３において、副領域３４の縮小表示７８よりも大きく表示されるので、利用者は、該頁の画像情報２７の記載内容を詳細に把握可能になる。
【０１２６】
本実施形態の表示装置２１において、利用者からの表示装置２１への指示入力のために、表示部２３の画面３１内に、主領域３３および副領域３４の他に、前述した操作領域４１が設けられる。操作領域４１内には、利用者からの各種の指示入力に個別に対応付けられる操作図形、いわゆるアイコンが表示される。各種操作図形が利用者によって選択指示されると、選択指示された操作図形に対応付けられる指示入力が制御部２５に与えられ、該指示入力に応答して制御部２５が処理を実行する。
【０１２７】
各種操作図形に対する利用者の選択指示は、たとえば、該操作図形に対する利用者のタッチ操作で実現されてもよく、その他の操作で実現されてもよい。操作図形の選択指示は、たとえば具体例としては、入力部２４に対して実行されたタッチ動作によって描かれた軌跡内の入力面３９の座標が、表示部２３の画面３１の該操作図形が表示される領域内の画面内座標に対応する入力面３９の座標を所定数以上含む場合、該操作図形が選択指示されたと判断される。
【０１２８】
図４は、表示装置２１における画像情報２７への付箋情報２８の選択的な付与処理時の表示部２３の画面３１の表示状態を示す図である。図４を参照して、画像情報２７に付箋情報２８を選択的に付与する手順を説明する。
【０１２９】
図４の例では、操作領域４１内のアイコンの１つは、付箋情報２８の選択的付与に関連する処理を指示するための付箋アイコン４２である。主領域３３にいずれか１頁の画像情報２７が表示された状態で利用者が付箋アイコン４２を選択指示すると、制御部２５は、表示部２３の画面３１の主領域３３に現在表示中の画像情報２７を選択するための選択指示が入力されたと判断する。この場合、制御部２５は、主領域３３に現在表示中の画像情報２７を付箋情報２８に係る処理の対象として選択する。また制御部２５は、付与指示用選択肢群８１を、表示部２３の画面３１に表示させる。
【０１３０】
付与指示用選択肢群８１は、基本的には、主領域３３に表示中の画像情報２７に対する付箋情報２８の選択的な付与を指示するために用いられる。付与指示用選択肢群８１が表示される状態で、利用者は、付与指示用選択肢群８１の中のいずれか１つの選択肢を、利用者が選択指示する。選択指示された選択肢は、図４の例では、強調表示されている。
【０１３１】
付与指示用選択肢群８１は、付箋情報２８に個別対応する付箋付与選択指示用選択肢８２と、付箋情報２８の除去を指示するための付箋除去指示用選択肢８３とを含む。付箋情報２８が複数種類の場合、付箋情報２８に個別対応する付箋付与選択指示用選択肢８２は、付箋情報２８の種類分用意される。付与指示用選択肢群８１の付箋付与選択指示用選択肢８２および付箋除去指示用選択肢８３は、操作図形の一種であり、アイコンなどと同様に、利用者による入力部２４を用いた選択指示が可能である。
【０１３２】
図４の例では、付与指示用選択肢群８１は、５種類の付箋情報２８「（１）」〜「（５）」（本文では丸かっこ付きの数字で記すが、図では、丸印で囲った数字で記す。以下、同じ）に個別対応する付箋付与選択指示用選択肢８２と、全付箋情報２８が未付与の状態「無し」に対応する付箋除去指示用選択肢８３とを含む。また図４の例では、付与指示用選択肢群８１は、操作領域４１の外の専用ウインドウ内に表示され、該専用ウインドウは主領域３３に重ねられている。もちろん、付与指示用選択肢群８１は、操作領域４１内に表示されてもよく、ウインドウ化して他の領域に重ねられてもよい。また図４の例では、付与指示用選択肢群８１内の利用者に選択指示された選択肢は、網掛け表示を重ねることで強調表示されている。
【０１３３】
付与指示用選択肢群８１の中の全ての付箋付与選択指示用選択肢８２「（１）」〜「（５）」のうちのいずれか１つを利用者が選択指示する場合、制御部２５は、選択指示された付箋付与選択指示用選択肢８２に個別対応する付箋情報２８を、主領域３３に現在表示中の画像情報２７に付与する。なお、主領域３３に現在表示中の画像情報２７にすでに付箋情報２８が付与されている場合、新たに選択指示された付箋情報２８を追加で付与してもよく、既存の付箋情報２８を新たに選択指示された付箋情報２８で置換えてもよい。
【０１３４】
また制御部２５は、選択指示された付箋付与選択指示用選択肢８２に個別対応する付箋情報２８を目視化して、主領域３３に現在表示中の画像情報２７の副領域３４内の縮小表示７８に関連付けて表示する。図４の例では、主領域３３に現在表示中の画像情報２７の副領域３４内の縮小表示７８の一部に接する位置に、選択指示された選択肢に個別対応する付箋情報２８が目視化されて表示される。
【０１３５】
また、付与指示用選択肢群８１の中の付箋除去指示用選択肢８３を利用者が選択指示する場合、制御部２５は、主領域３３に現在表示中の画像情報２７に付与されている付箋情報２８を外す。また制御部２５は、主領域３３に現在表示中の画像情報２７の副領域３４内の縮小表示７８に対する付箋情報２８の関連付け表示７９を、消去する。これによって、本実施形態の表示装置２１は、入力部２４からの選択指示に応答して、単一頁の画像情報２７に対して、付箋情報２８を付与したり外したりすることが可能になる。
【０１３６】
制御部２５は、画像情報２７への付箋情報２８の付与結果を、記憶部２６に記憶させる。具体例としては、主領域３３に現在表示中の画像情報２７に付箋情報２８が付与される場合、該画像情報２７の格納用アドレス４７に付随する付箋情報２８の格納用アドレス４８に、選択指示された選択肢に個別対応する付箋情報２８の種類を示す情報が格納される。また主領域３３に現在表示中の画像情報２７に付与中の付箋情報２８が外される場合、該画像情報２７の格納用アドレス４７に付随する付箋情報２８の格納用アドレス４８に現在格納される付箋情報２８の種類を示す情報が、消去される。
【０１３７】
以上の手順によって、主領域３３に表示中の画像情報２７に、付箋情報２８が選択的に付与される。主領域３３に表示中の画像情報２７が記憶部２６内の全頁の画像情報２７の中の他頁の画像情報２７に変更されると、主領域３３の変更後の画像情報２７に対して、付箋情報２８の選択的な付与が可能になる。この結果、図４の例に示すように、記憶部２６内の全頁の画像情報２７には、それぞれ、付箋情報２８が選択的に付与される。
【０１３８】
各画像情報２７への付箋情報２８の付与状態は、副領域３４の一覧表示の際に、各画像情報２７の縮小表示７８への付箋情報２８の関連付け表示７９に反映される。この結果、利用者は、副領域３４の一覧表示を参照して主領域３３に表示すべき画像情報２７を検索する際に、各画像情報２７への付箋情報２８の付与状態を容易に参照することができる。すなわち、画像情報２７への付箋情報２８の付与後において、該画像情報２７を副領域３４の一覧表示から探す際に、利用者は、付与された付箋情報２８を目印にして該画像情報２７を探すことができる。ゆえに、利用者による画像情報２７の検索が容易になるため、表示装置２１の使い勝手が向上する。
【０１３９】
図５は、表示装置２１における付箋情報２８を用いた画像情報２７の抽出表示処理時の表示部２３の画面３１の表示状態を示す図である。図５を参照して、付箋情報２８の付与状態に基づく画像情報２７の抽出手順を説明する。
【０１４０】
前述した図４の例において、付与指示用選択肢群８１は、付箋情報２８の付与状態に基づく画像情報２７の抽出表示処理の開始に対応する選択肢である抽出開始選択肢８４をさらに含む。抽出開始選択肢８４を利用者が選択指示する場合、制御部２５は、抽出表示指示用選択肢群８６を、表示部２３の画面３１にさらに表示させる。抽出表示指示用選択肢群８６は、基本的には、主領域３３に表示可能な全頁の画像情報２７からの少なくとも１頁の画像情報２７の抽出表示を指示するために用いられる。
【０１４１】
抽出表示指示用選択肢群８６は、各付箋情報２８に個別対応する選択肢８７と、すべての付箋情報２８に個別対応する「全て」選択肢８８とを含む。付箋情報２８が複数種類の場合、付箋情報２８に個別対応する選択肢８７は、付箋情報２８の種類分用意される。もちろん、抽出表示指示用選択肢群８６の選択肢は、２種類以上の付箋情報２８の組合わせに対応する選択肢を含んでいてもよい。
【０１４２】
抽出表示指示用選択肢群８６の選択肢８７および「全て」選択肢８８は、操作図形の一種であり、利用者によって入力部２４を用いた選択指示が可能である。図５の例では、抽出表示指示用選択肢群８６は、操作領域４１の外の専用ウインドウ内に表示され、該専用ウインドウは、主領域３３に重ねられている。もちろん、抽出表示指示用選択肢群８６は、操作領域４１内に表示されてもよく、ウインドウ化して他の領域に重ねられてもよい。
【０１４３】
図５の例では、抽出表示指示用選択肢群８６は、５種類の付箋情報２８「（１）」〜「（５）」に個別対応する選択肢８７と、すべての付箋情報２８に個別対応する「全て」選択肢８８とを含む。なお図５の例では、抽出表示指示用選択肢群８６は、好ましくは、記憶部２６内の全頁の画像情報２７に現在付与済の付箋情報２８に個別対応する選択肢８７だけでなく、記憶部２６内の全頁の画像情報２７に現在未付与の付箋情報２８に個別対応する選択肢８７も含め、本実施形態の表示装置２１において画像情報２７に付与可能なすべての付箋情報２８に個別対応する選択肢８７を含む。
【０１４４】
抽出表示指示用選択肢群８６が表示される状態で、利用者は、抽出表示指示用選択肢群８６の中のいずれか１つの選択肢を、利用者が選択指示する。図５の例では、抽出表示指示用選択肢群８６内の利用者に選択指示された選択肢は、網掛け表示を重ねることで強調表示されている。
【０１４５】
抽出表示指示用選択肢群８６の中の１種類以上の付箋情報２８に個別対応する選択肢「（１）」〜「（５）」８２のうちのいずれか１つを利用者が選択指示する場合、制御部２５は、選択指示された選択肢８７に対応する付箋情報２８が付与された画像情報２７を全頁の画像情報２７の中から抽出して、抽出された画像情報２７を副領域３４に縮小化して一覧表示する。また制御部２５は、抽出されて副領域３４に縮小表示される１以上の各画像情報２７に、該各画像情報２７に付与される付箋情報２８を目視化して関連付け表示する。この結果、本実施形態の表示装置２１は、入力部２４からの利用者の選択指示に応答し、記憶部２６内の全頁の画像情報２７の中から、付箋情報２８の付与状態に基づいて、副領域３４に一覧表示すべき画像情報２７を抽出することができる。
【０１４６】
また、抽出表示指示用選択肢群８６の中の「全て」選択肢８８を利用者が選択指示する場合、制御部２５は、記憶部２６内の全頁の画像情報２７を副領域３４に縮小化して一覧表示する。また制御部２５は、副領域３４に縮小表示される各画像情報２７に、該各画像情報２７に付与される付箋情報２８を目視化して関連付け表示する。これらの結果、本実施形態の表示装置２１は、付箋情報２８の付与状態に基づく一部の画像情報２７だけの一覧表示と、主領域３３に表示可能な全頁の画像情報２７の一覧表示とを、利用者が選択可能である。
【０１４７】
なお、抽出表示指示用選択肢群８６の選択肢指示時に、選択指示された選択肢８７に個別対応する付箋情報２８が付与された画像情報２７が、記憶部２６内の全頁の画像情報２７内に存在しない場合、抽出される画像情報２７が無い。この場合、画像情報２７の縮小表示の代わりに、選択指示された選択肢に個別対応する付箋情報２８が現在未付与である旨を示すメッセージを、制御部２５が副領域３４に表示させる。前記メッセージは、たとえば、「該当するページはありません」のような文章である。この結果、利用者は、選択指示した選択肢に個別対応する付箋情報２８が付与済の画像情報２７が存在しない旨を、確実に把握可能である。
【０１４８】
上述したように、付箋情報２８の付与状態に基づいて副領域３４に一覧表示すべき画像情報２７が１頁分以上抽出される場合、制御部２５は、さらに、抽出された全頁の画像情報２７の中の少なくとも１頁の画像情報２７を、主領域３３に表示させる。主領域３３へも表示された画像情報２７の縮小表示７８は、たとえばカーソル枠７１を用いて強調表示される。なお、選択指示された選択肢に個別対応する付箋情報２８が付与された画像情報２７が存在しない場合、制御部２５は、主領域３３の表示内容を、抽出処理以前の内容のまま保つ。これらによって、画像情報２７の抽出結果が副領域３４だけでなく主領域３３にも反映されるため、利用者が画像情報２７の抽出結果をより把握し易くなるので、本実施形態の表示装置２１の使い勝手がさらに向上する。
【０１４９】
図５の例では、抽出された全頁の画像情報２７のうちの副領域３４内の縮小表示７８の並び順が先頭になる頁の画像情報２７が、主領域３３に表示される。１例としては、付箋情報２８「（１）」に個別対応する選択肢８７が選択指示される場合、記載内容が手書きの「Ａ」「Ｄ」「Ｆ」である３頁分の画像情報２７が抽出されて副領域３４に一覧表示されるので、副領域３４内で先頭にある手書き「Ａ」の画像情報２７が、主領域３３に表示される。また他の例としては、付箋情報２８「（２）」に個別対応する選択肢８７が選択指示される場合、記載内容が手書きの「Ｅ」「Ｈ」である２頁分の画像情報２７が抽出されて副領域３４に一覧表示されるので、副領域３４内で先頭にある手書き「Ｅ」の画像情報２７が、主領域３３に表示される。勿論、主領域３３に表示される画像情報２７は、抽出された全頁の画像情報２７の先頭の１頁分に限らず、抽出された全頁の画像情報２７の中のいずれか１頁であれば良い。
【０１５０】
図６は、表示装置２１の制御部２５の処理動作を説明するためのフローチャートである。図６の例では、具体例として、本実施形態の表示装置２１が図４および図５で説明した構成のタッチディスプレイで実現される場合の処理動作を示す。また図６の具体例では、表示装置２１の表示部２３の画面３１内に主領域３３および副領域３４に加えて操作領域４１が設けられ、主領域３３において画像情報２７の新規作成および編集処理が実行可能になっている。表示装置２１の起動後、ステップＡ０からステップＡ１に進む。
【０１５１】
ステップＡ１において、制御部２５は、入力部２４から制御部２５への入力指示を待つ。図６の具体例においては、タッチされたか否か、すなわち、入力部２４の入力器３８の入力面３９へのタッチ操作が検出されたか否かが判断される。タッチ操作が検出されない場合、ステップＡ１へ戻る。ステップＡ１の判断は、たとえば、タッチ操作が検出されるまで、所定時間間隔ごとに実行される。タッチ操作が検出された場合、入力部２４から制御部２５への入力指示が検出されたので、ステップＡ１からステップＡ２へ進む。
【０１５２】
ステップＡ２において、制御部２５は、ステップＡ１で検出された入力部２４からの入力指示が、付箋情報２８に係る処理の実行開始を示すか否かを判断する。図６の具体例においては、ステップＡ１で検出されたタッチ操作が指示領域の付箋アイコン４２の選択指示を示すか否かが判断される。ステップＡ１のタッチ操作が付箋アイコン４２の選択指示を示さない場合、ステップＡ２からステップＡ３へ進む。
【０１５３】
ステップＡ３において、制御部２５は、入力部２４からの入力指示が、表示装置２１の他に実行可能な処理の指示開始を示すか否かを判断する。図６の具体例においては、ステップＡ１で検出されたタッチ操作が指示領域の付箋アイコン４２以外の他のアイコンの選択指示を示すか否かが判断される。ステップＡ１のタッチ操作が前記他のアイコンの選択指示を示す場合、ステップＡ３からステップＡ４に進む。ステップＡ４において、制御部２５は、選択指示されたアイコンに対応付けられた処理を実行する。ステップＡ４の処理実行後、ステップＡ４からステップＡ１に戻り、入力部２４からの次の指示を待つ。
【０１５４】
また、ステップＡ３において、入力部２４からの入力指示が付箋アイコン４２および他のアイコンのどちらも示さないと判断される場合、入力部２４からの入力指示が主領域３３における画像情報２７の新規作成処理または編集処理のための描画指示であると、制御部２５が判断して、ステップＡ３からステップＡ５に進む。ステップＡ５において、制御部２５は、主領域３３に現在表示中の画像情報２７に対して、入力部２４からの入力指示に対応した描画処理を行う。図６の具体例においては、ステップＡ１で検出されたタッチ操作が描く軌跡と同等の線または該タッチ操作によって入力が指示される図形を、主領域３３に現在表示中の画像情報２７に追加する。ステップＡ５の描画処理後、ステップＡ５からステップＡ１に戻り、入力部２４からの次の指示を待つ。
【０１５５】
ステップＡ３〜ステップＡ５の処理によって、本実施形態の表示装置２１は、画像情報２７に対して、付箋情報２８を利用した各種処理だけでなく、他の各種の処理を施すことができる。これによって、本実施形態の表示装置２１の使い勝手がより向上する。
【０１５６】
前述のステップＡ２において、入力部２４からの入力指示が付箋情報２８に係る処理の実行開始であると判断される場合、ステップＡ２からステップＡ６に進む。ステップＡ６およびステップＡ７において、制御部２５は、付箋情報２８の選択的付与に係る入力指示が入力部２４から与えられることを待つ。
【０１５７】
図６の具体例においては、ステップＡ６において、制御部２５は、図４で説明した付与指示用選択肢群８１、すなわち「（１）」〜「（５）」の付箋情報２８に対応する付箋付与選択指示用選択肢８２と、付箋除去指示用選択肢８３「無し」と、抽出開始選択肢８４「抽出」とを、表示部２３の画面３１に表示させる。ステップＡ７において、制御部２５は、入力部２４からの次の入力を待つ。
【０１５８】
ステップＡ７において、付与指示用選択肢群８１内の付箋付与選択指示用選択肢８２、付箋除去指示用選択肢８３および抽出開始選択肢８４の選択指示以外の他の入力があった場合、制御部２５は、付箋情報２８に係る処理の実行が取消されたと判断する。この場合、制御部２５は、たとえば付与指示用選択肢群８１の表示を表示部２３の画面３１から消して、ステップＡ７からステップＡ１に戻る。この結果、付箋情報２８に係る処理の中途取消しが可能になるので、表示装置２１の使い勝手がさらに向上する。
【０１５９】
また、ステップＡ７において、付与指示用選択肢群８１のうちのいずれかの付箋情報２８に個別対応する付箋付与選択指示用選択肢８２が選択指示された場合、ステップＡ７からステップＡ８に進む。ステップＡ８において、制御部２５は、ステップＡ７で選択指示された付箋付与選択指示用選択肢８２に個別対応する付箋情報２８を、主領域３３に現在表示中の画像情報２７に付与する。ステップＡ８の処理終了後、ステップＡ８からステップＡ１０に進む。
【０１６０】
さらにまた、ステップＡ７において、付与指示用選択肢群８１のうちの付箋除去指示用選択肢８３が選択指示された場合、ステップＡ７からステップＡ９に進む。ステップＡ９において、制御部２５は、主領域３３に現在表示中の画像情報２７に現在付与済の付箋情報２８を、該画像情報２７から外す。すなわち、主領域３３に現在表示中の画像情報２７の付箋情報２８のアドレスの設定が、消去される。ステップＡ９の処理終了後、ステップＡ９からステップＡ１０に進む。
【０１６１】
ステップＡ１０において、制御部２５は、主領域３３に現在表示中の画像情報２７に対してステップＡ８およびステップＡ９で新たに設定された付箋情報２８の付与状態を、副領域３４の画像情報２７の一覧表示に反映させる。図６の具体例においては、ステップＡ８で付箋情報２８が付与されていれば、制御部２５は、主領域３３に現在表示中の画像情報２７の副領域３４の縮小表示７８に該付箋情報２８を目視化して関連付け表示させる。また、ステップＡ９で付箋情報２８が外されていれば、制御部２５は、主領域３３に現在表示中の画像情報２７の副領域３４の縮小表示７８に対する付箋情報２８の関連付け表示７９を消去する。副領域３４の一覧表示の更新後、ステップＡ１０からステップＡ１に戻り、制御部２５は入力部２４からの次の指示を待つ。
【０１６２】
以上、ステップＡ２〜ステップＡ１０の処理によって、本実施形態の表示装置２１は、入力部２４からの入力指示に応答して主領域３３に現在表示中の画像情報２７に対して、付箋情報２８を選択的に付与または除去することができる。これによって、本実施形態の表示装置２１の使い勝手が向上する。
【０１６３】
前述のステップＡ７において、付与指示用選択肢群８１のうちの抽出開始選択肢８４が選択指示された場合、付箋情報２８の付与状態に基づく画像情報２７の抽出処理が指示されたと判断されて、ステップＡ７からステップＡ１１に進む。ステップＡ１１およびステップＡ１２において、制御部２５は、付箋情報２８の付与状態に基づく画像情報２７の抽出に係る入力指示が入力部２４から与えられることを待つ。
【０１６４】
図６の具体例においては、ステップＡ１１において、制御部２５は、図５で説明した抽出表示指示用選択肢群８６、すなわち「（１）」〜「（５）」の付箋情報２８に個別対応する選択肢８７と「全て」選択肢８８とを、表示部２３の画面３１に表示させる。ステップＡ１２において、制御部２５は、入力部２４からの次の入力を待つ。抽出表示指示用選択肢群８６のいずれかの選択肢が選択指示された場合、選択指示されたいずれかの選択肢に予め対応付けられる付箋情報２８などが選択指示されたと見なされる。
【０１６５】
ステップＡ１２において、抽出表示指示用選択肢群８６のうちのいずれかの付箋情報２８に個別対応する選択肢８７が選択指示された場合、ステップＡ１２からステップＡ１３に進む。ステップＡ１３において、制御部２５は、記憶部２６に記憶されている全頁の画像情報２７の中から、選択指示された選択肢８７に個別対応する付箋情報２８が付与された画像情報２７を抽出する。ステップＡ１３の処理終了後、ステップＡ１３からステップＡ１４に進む。
【０１６６】
ステップＡ１４において、制御部２５は、ステップＡ１３の抽出処理によって、選択指示された選択肢８７に個別対応する付箋情報２８が付与された画像情報２７が１頁以上抽出されたか否かを判断する。選択指示された選択肢８７に個別対応する付箋情報２８が付与された画像情報２７が１頁以上抽出されている場合、ステップＡ１４からステップＡ１６に進む。
【０１６７】
また、前述のステップＡ１２において、抽出表示指示用選択肢群８６内のうちの「全て」選択肢８８が選択指示された場合、制御部２５は、ステップＡ１２からステップＡ１５に進む。ステップＡ１５において、制御部２５は、記憶部２６に記憶されている全頁の画像情報２７を抽出する。全画像情報２７の抽出後、ステップＡ１５からステップＡ１６に進む。
【０１６８】
ステップＡ１６において、制御部２５は、ステップＡ１３またはステップＡ１５で抽出された１頁以上の画像情報２７を、表示部２３の画面３１の副領域３４に一覧表示させる。かつ、制御部２５は、一覧表示された各画像情報２７に付与される付箋情報２８を、副領域３４内の各画像情報２７に関連付け表示させる。抽出された画像情報２７の一覧表示後、たとえば、制御部２５は、付与指示用選択肢群８１および抽出表示指示用選択肢群８６の表示を、表示部２３の画面３１から消す。抽出された画像情報２７の一覧表示後、ステップＡ１６からステップＡ１８に進む。
【０１６９】
このように、ステップＡ１１〜ステップＡ１６の処理の結果、本実施形態の表示装置２１は、付箋情報２８の付与状態に基づく画像情報２７の抽出および一覧表示を実行することができる。利用者は、付箋情報２８の付与状態に応じて抽出された画像情報２７の一覧表示を参照して、所望の画像情報２７を検索することができる。ゆえに本実施形態の表示装置２１は、利用者の所望の画像情報２７の検索時に検索対象となる画像情報２７を付箋情報２８の付与状態に応じて予め限定することができるので、全画像情報２７から所望の画像情報２７を利用者が目視で検索する場合よりも、所望の画像情報２７を利用者に容易に検索させることができる。また、付箋情報２８の付与状態に応じて抽出された画像情報２７の一覧表示と全画像情報２７の一覧表示とを、利用者の選択指示に応じて切換えて実行することができる。ゆえに、表示装置２１の使い勝手がさらに向上する。
【０１７０】
また、上述のステップＡ１４において、選択指示された選択肢８７に個別対応する付箋情報２８が付与された画像情報２７がまったく抽出されない場合、ステップＡ１４からステップＡ１７に進む。ステップＡ１７において、制御部２５は、選択指示された付箋情報２８が付与された画像情報２７が１頁も記憶部２６に存在しない旨を示すメッセージを、副領域３４に表示させる。この場合、好ましくは、主領域３３の表示内容は、ステップＡ１３の抽出処理前の状態を保持する。メッセージ表示後、ステップＡ１７からステップＡ１に戻り、入力部２４からの次の入力を待つ。この結果、選択指示された付箋情報２８が付与された画像情報２７が存在しない旨を利用者に明確に提示可能なので、本実施形態の表示装置２１の使い勝手がさらに向上する。
【０１７１】
ステップＡ１１〜ステップＡ１６の抽出処理終了後、ステップＡ１８において、制御部２５は、ステップＡ１２で選択指示された選択肢８７に個別対応する付箋情報２８が、主領域３３に現在表示中の画像情報２７に付与される付箋情報２８と等しいか否かを判断する。選択指示された選択肢８７に個別対応する付箋情報２８が主領域３３に現在表示中の画像情報２７に付与される付箋情報２８と等しい場合、ステップＡ１８からステップＡ１９に進む。
【０１７２】
ステップＡ１９において、制御部２５は、前記選択指示された選択肢８７に個別対応する付箋情報２８が付与された全頁の画像情報２７の中のいずれか１頁、たとえば先頭の頁の画像情報２７を、主領域３３に表示させる。ステップＡ１９の処理終了後、ステップＡ１９からステップＡ１に戻り、制御部２５は次の入力指示を待つ。
【０１７３】
また、ステップＡ１８において、選択指示された選択肢８７に個別対応する付箋情報２８が主領域３３に現在表示中の画像情報２７に付与される付箋情報２８と異なると判断される場合、ステップＡ１８からステップＡ２０に進む。この場合、主領域３３に現在表示中の画像情報２７に付与される付箋情報２８とは異なるいずれか１つの付箋情報２８が付与された１以上の画像情報２７、または記憶部２６に記憶される全画像情報２７が、副領域３４に一覧表示されている。
【０１７４】
ステップＡ２０において、制御部２５は、ステップＡ１３またはステップＡ１５で抽出された全頁の画像情報２７の中のいずれか１頁、たとえば先頭の頁の画像情報２７を、主領域３３に表示させる。ステップＡ２０の処理終了後、ステップＡ２０からステップＡ１に戻り、制御部２５は次の入力指示を待つ。
【０１７５】
ステップＡ１８〜ステップＡ２０の処理の結果、副領域３４に現在一覧表示中の画像情報２７の中のいずれか１頁の画像情報２７が、目視化されて主領域３３に表示される。図６の具体例では、副領域３４に現在一覧表示中の画像情報２７の中の先頭の画像情報２７が、主領域３３に表示される。これによって、本実施形態の表示装置２１は、利用者の選択指示に応じた画像情報２７の抽出結果を、副領域３４だけでなく主領域３３に反映させることができる。この結果、本実施形態の画像情報２７の使い勝手がさらに向上する。
【０１７６】
以上の処理によって、本実施形態の表示装置２１において、新規作成および編集を含む画像情報２７の表示処理は、画像情報２７への付箋情報２８の選択的な付与処理と、付箋情報２８の付与状態に基づく画像情報２７の抽出処理とを含むことができる。したがって、本実施形態の表示装置２１において、画像情報２７の取扱いを容易にすることができるため、表示装置２１の使い勝手が向上する。
【０１７７】
本実施形態の表示装置２１および表示方法は、本実施形態の構成要素の最良の実施形態の１つである。本実施形態の構成要素の詳細構成は、上述の作用効果が発揮可能な構成であれば、上述した構成に限らず、他の様々な構成が用いられてもよい。また本実施形態の表示装置２１および表示方法は、タッチディスプレイで実現される表示装置２１はもちろん、１頁以上の画像情報２７を利用者に提示可能な装置に有効な手法であり、用途の広いものである。
【符号の説明】
【０１７８】
２１  表示装置
２３  表示部
２４  入力部
２５  制御部
２６  記憶部
２７  画像情報
２８  付箋情報
３１  画面
３３  主領域
３４  副領域
４２  付箋アイコン
７８  縮小表示
７９  関連付け表示
８１  付与指示用選択肢群
８２  付箋付与選択指示用選択肢
８３  付箋除去指示用選択肢
８６  抽出表示指示用選択肢群
【図１】
0006027735.tif 000002
【図２】
0006027735.tif 000003
【図３】
0006027735.tif 000004
【図４】
0006027735.tif 000005
【図５】
0006027735.tif 000006
【図６】
0006027735.tif 000007
【図７】
0006027735.tif 000008
【図８】
0006027735.tif 000009
【図９】
0006027735.tif 000010